(57)【特許請求の範囲】
【請求項１】
隣接する踏み板１２の間に設けられた手掛け孔１５を覆うための踏み板カバー２０と、その裏面に配される取り付け手段３０からなり、その取り付け手段３０は前記踏み板カバー２０と圧縮板３２との間に挟持される膨大ゴム３１、および前記踏み板カバー２０を貫通して圧縮板３２に形成した雌ネジ３４に螺合した引張りボルト３３とによって構成された側溝の踏み板カバー。
【請求項２】
請求項１において、前記踏み板カバー２０は平面形状が小判形をなし、その上面には排水溝２１が形成されると共に、その排水溝２１の底部には表裏を貫通する小径の通気孔２２が設けられている側溝の踏み板カバー。
【請求項３】
請求項１において、前記踏み板カバー２０は平面形状が小判形をなし、その上面の周縁は面取りされて薄肉に形成されている側溝の踏み板カバー。
【請求項４】
請求項１において、前記踏み板カバー２０は平面形状が小判形をなし、その裏面には手掛け孔１５の縁と略平行な回り止め面を有する角形突起２３が設けられている側溝の踏み板カバー。
【発明の詳細な説明】
【０００１】
【産業上の利用分野】
この発明は道路の縁に設けられる側溝、すなわち、Ｕ字溝に被せる踏み板に関するもので、特に、踏み板の側面に形成される手掛け孔を覆う踏み板カバーに関するものである。
【０００２】
【従来の技術】
一般に道路の端に設けられるコンクリート製の側溝に被せる踏み板Ａは図１（ａ）で示すように、略台形の凹部からなる手掛けＢを有する板状に形成され、板厚に形成された中央部をＵ字溝Ｃの溝に嵌合させ、縁の部分をＵ字溝Ｃの縁の部分で支承して、蓋がしてある。
【０００３】
【発明が解決しようとする課題】
このような踏み板Ａは自重が大きく安定している長所がある反面、前記手掛けＢの部分が保守点検の際の着脱操作用の孔として残されるため、この孔の中に釣り銭などのコインが落ちたとき取り出せないという不具合があった。また、時として踏み板上を歩行する歩行者の足が手掛けＢに落ちて、足をくじいたり転んだりすることがあった。
【０００４】
【課題を解決するための手段】
この発明は上記した課題を解消するためなされたもので、隣接する踏み板１２の間に設けられた手掛け孔１５を覆うための踏み板カバー２０と、その裏面に配される取り付け手段３０からなり、その取り付け手段３０は前記踏み板カバー２０と圧縮板３２との間に挟持される膨大ゴム３１、および前記踏み板カバー２０を貫通して圧縮板３２に形成した雌ネジ３４に螺合した引張りボルト３３とによって構成したものである。具体的には、前記踏み板カバー２０は平面形状が小判形をなし、その上面には排水溝２１が形成されると共に、その排水溝２１の底部には表裏を貫通する小径の通気孔２２が設けられている。また、前記踏み板カバー２０は平面形状が小判形をなし、その上面の周縁は面取りされて薄肉に形成されている。さらに、前記踏み板カバー２０は平面形状が小判形をなし、その裏面には手掛け孔１５の縁と略平行な回り止め面を有する角形突起２３が設けられている。
【０００５】
【作用】
踏み板カバー２０は取り付け手段３０として膨大収縮可能な膨大ゴム３１を有し、その膨大ゴム３１を大径に膨大させることによる既存の手掛け孔１５の内面に摩擦係合して固定される。側溝内外は踏み板カバー２０を設けても、通気孔２２によって、その通気性が維持される。また、踏み板カバー２０の上面に設けられた排水溝２１は雨水や打ち水の排水の他、これに乗った歩行者の滑り止めとして作用する。また、踏み板カバー２０の表裏を貫通して設けられた通気孔２２は、側溝内の換気を行うと共に、雨水を側溝内へ戻す通水路の作用をする。
【０００６】
【実施例】
以下、本発明を図示の実施例によって説明する。図１（ｂ）中、１０は側溝であり、側溝１０は周知のＵ字溝１１と、その上面開口を閉じる踏み板１２とで構成されている。踏み板１２は長手方向側面に略台形の凹所からなる手掛け１３を有する。かくて、踏み板１２をＵ字溝１１の上に列設すると、隣接する踏み板１２の間に細長い六角形の手掛け孔１５が形成され、Ｕ字溝１１の上の踏み板１２を取り外すときにこの孔が使用される。なお、図３中、細い２点鎖線で描かれた手掛け孔１５は幅の狭い方向の面を、太い２点鎖線で描かれた手掛け孔１５は長手方向の面をそれぞれ示している。
【０００７】
図２中、２０は前記手掛け孔１５を閉じるための踏み板カバーである。踏み板カバー２０は平面形状が両端の円弧を直線で連結してなる小判形をなし、合成樹脂を成形して作られている。また、踏み板カバー２０の上面は仮想線Ｚの外側の周縁２４の部分で緩やかに面取りされて薄肉とされ、歩行者が躓かないようにすると共に、厚肉の中心部には滑り止めの溝２１が交叉して設けられており、その交点には表裏を貫通する小径の通気孔２２が穿設されている。
【０００８】
なお、前記滑り止めの溝２１の断面形状は上側が開く半円形とされており、滑り止めと同時に踏み板カバー２０の上面に雨水その他の水が溜まらないよう、通気孔２２へ案内する。また、通気孔２２は前記排水の他、側溝内外の通気性を維持し側溝内の水が腐敗するのを防止する。踏み板カバー２０の裏面には中央部に四角形の低い角形突起２３が設けられている。角形突起２３は辺間の距離が踏み板カバー２０を手掛け孔１５の幅よりやゝ小さく、かつ、平行に作られていて、踏み板カバー２０が手掛け孔１５に取り付けられたとき、回転しないように回り止めしている。
【０００９】
次に、踏み板カバー２０を手掛け孔１５へ取り付けるための取り付け手段３０を説明する。取り付け手段３０は図３で示すように、略円筒形の膨大ゴム３１と、このゴムを圧縮するための圧縮板３２、および前記膨大ゴム３１を低い角形突起２３と圧縮板３２との間に狭圧するための引張りボルト３３などからなっている。なお、引張りボルト３３は六角孔付き形であり、圧縮板３２に形成される雌ネジはナット３４を溶着することにより構成されている。また、圧縮板３２とナット３４はステンレスその他の不錆性材料で作られ、あるいは錆びないように表面処理されている。こゝで、膨大ゴム３１は外径にテーパが付けてあり、大径側が低い角形突起２３に当接し小径側が圧縮板３２に当接している。
【００１０】
よって、取り付け手段３０を下にして踏み板カバー２０を図３（ａ）の状態で手掛け孔１５へ挿入すると、まず、下面の低い角形突起２３が手掛け孔１５の内面に係合して回り止めされる。ついで、図示していない工具によって引張りボルト３３を回すと、圧縮板３２は膨大ゴム３１との間に摩擦によって回転が制限されるため、ナット３４が圧縮板３２を引き上げ、同図（ｂ）で示すように、圧縮板３２が引き上げられ膨大ゴム３１が圧縮されて長さを減じ外方へ膨出する。すなわち、大径となり手掛け孔１５へ密着する。斯くて、踏み板カバー２０は踏み板１２から外れなくなる。
【００１１】
【発明の効果】
以上のように、この発明によれば、踏み板カバー２０は既存の踏み板１２に改変を加えることなく取り付けられるから、踏み板１２に対する取り付け作業が容易であり、かつ、踏み板１２上を歩行する者への安全性が向上する。また、踏み板カバー２０はそれ自体や踏み板１２を破壊することなく容易に取り外すことができ、踏み板１２の修理や交換の妨げとなることがない。
踏み板カバー２０は合成樹脂によって作られ、耐水性や耐候性と共に、量産性に優れている。
踏み板カバー２０は周縁が面取りされて低くなり、また、滑り止めの溝２１や通気孔２２によって優れた排水性を持つから、歩行の邪魔になることがないばかりか、手掛け孔１５を閉じることによる側溝内外の通気性低下を解消する。
などの効果がある。
【図面の簡単な説明】
【図１】従来の側溝と、この発明に係る側溝を、対比して示す外観図であり、（ａ）は従来の側溝、（ｂ）は本発明の実施である側溝の例である。
【図２】平面図である。
【図３】そのＩＩＩ−ＩＩＩ断面図である。
【符号の説明】
１０・・・・側溝                          １１・・・・Ｕ字溝
１２・・・・踏み板                        １３・・・・手掛け
１５・・・・手掛け孔                      ２０・・・・踏み板カバー
２１・・・・滑り止めの溝（排水溝）        ２２・・・・通気孔
２３・・・・低い角形突起                  ２４・・・・周縁
３０・・・・取り付け手段                  ３１・・・・膨大ゴム
３２・・・・圧縮板                        ３３・・・・引張りボルト
３４・・・・ナット（雌ネジ）
【図１】
0003686477.tif 000002
【図２】
0003686477.tif 000003
【図３】
0003686477.tif 000004